(57)【要約】【課題】風圧で飛散したり捲れたりすることを防止すると共に、水が通気孔に浸入することを防止した飛散防止構造を有するシート及びこれを備えたテントを提供する。【解決手段】通気孔３が設けられたシート部材２と、通気孔３を覆う蓋部材４とを備え、蓋部材４は、一端部がシート部材４に密着して固定された固定端部６を有すると共に、他端部が自由端部７となっており、自由端部７と固定端部６との間において蓋部材４をシート部材２に連結し、固定端部６を中心として蓋部材４が回動するように形成された蛇腹８を設ける。【選択図】  図１
2012122234.tif 000002
【特許請求の範囲】
【請求項１】
厚さ方向に貫通した開口である通気孔が設けられたシート部材と、
前記通気孔を覆う蓋部材とを備え、
前記蓋部材は、当該蓋部材が前記シート部材に対して離隔・接近する方向に伸縮自在に形成された連結部を介して前記シート部材にポケット状に取り付けられている
ことを特徴とする飛散防止構造を有するシート。
【請求項２】
請求項１に記載する飛散防止構造を有するシートにおいて、
前記蓋部材は、一端部が前記シート部材に密着して固定された固定端部を有すると共に、他端部が自由端部となっており、
前記連結部は、前記自由端部と前記固定端部との間において前記蓋部材を前記シート部材に連結し、前記固定端部を中心として前記蓋部材が回動するように形成された蛇腹である
ことを特徴とする飛散防止構造を有するシート。
【請求項３】
請求項１又は請求項２に記載する飛散防止構造を有するシートを備えたテントであって、
前記シートは、前記蓋部材の自由端部側が鉛直方向の上方に位置するように配設されていることを特徴とする飛散防止構造を有するシートを備えたテント。
【発明の詳細な説明】
【技術分野】
【０００１】
本発明は、飛散防止構造を有するシート及びこれを備えたテントに関し、特に、風圧で飛散したり捲れてしまうことを防止する場合に適用して有用なものである。
【背景技術】
【０００２】
従来、鉄塔敷地等での急傾斜地の法面を保護したり、送電線の建築現場で養生（防音・飛散防止対策）する等、種々の目的で養生シート（ビニールシート）が使用されている。これは、風雨から保護することができ、また軽量で折り畳みが可能であるので持ち運びに優れるからである。
【０００３】
このような養生シートは、一般に、強風により捲れ上がったり、養生シート自体が飛散してしまい、対象物を風雨などから保護できないという問題がある。さらに、飛散した養生シートが電気設備に接触するなどして地絡事故を起こす虞がある。
【０００４】
このような問題を解決する技術として、シートに通気孔を設けて風の通りをよくして、強風でも飛散しないようにしたテントシートがある（例えば、特許文献１参照）。このテントシートは、通気孔を覆う蓋が設けられており、強風時にはその風圧で蓋が開き、無風時には蓋が閉じるように復元性を有している。
【０００５】
しかしながら、特許文献１に係るテントシートは、風圧で蓋が開くように上流側の端部のみがシートに固定されているので、テントシートの表面を流れ落ちた雨水は、蓋の側方から通気孔に浸入してしまうという問題がある。また、蓋に復元性を持たせる機構として金属やプラスチックなどからなる復元性をもった骨を用いているが、この骨の重量でテントシート全体の重さが増し、さらに折り畳みにくくなるという問題がある。
【０００６】
なお、このような問題は、上述した急傾斜地の法面の保護や建築現場での養生に限らず、いわゆる養生シートを用いる場合一般に存在する。
【先行技術文献】
【特許文献】
【０００７】
【特許文献１】特開平８−１５８７０５号公報
【発明の概要】
【発明が解決しようとする課題】
【０００８】
本発明は、このような事情に鑑み、風圧で飛散したり捲れたりすることを防止すると共に、水が通気孔に浸入することを防止した飛散防止構造を有するシート及びこれを備えたテントを提供することを目的とする。
【課題を解決するための手段】
【０００９】
上記課題を解決する本発明の第１の態様は、厚さ方向に貫通した開口である通気孔が設けられたシート部材と、前記通気孔を覆う蓋部材とを備え、前記蓋部材は、当該蓋部材が前記シート部材に対して離隔・接近する方向に伸縮自在に形成された連結部を介して前記シート部材にポケット状に取り付けられていることを特徴とする飛散防止構造を有するシートにある。
【００１０】
かかる第１の態様では、シートは風を逃がす構造となっているので、シート部材の裏側（蓋部材が取り付けられていない側）から掛かる風圧でシートが飛散してしまうことを防ぐことができる。
【００１１】
蓋部材はポケット状にシート部材に取り付けられているので、蓋部材の側方から雨水が流れ込んで通気孔に浸入することが防止され、シートで覆った対象物を雨水から保護することができる。
【００１２】
また、連結部が伸縮自在であるため、シートを折り畳んでもかさばらず、持ち運びに便利である。さらに、先行技術のように、蓋部材に復元性を持たせる機構として金属やプラスチックなどからなる復元性をもった骨を用いないので、シート全体を軽量とすることができる。
【００１３】
本発明の第２の態様は、第１の態様に記載する飛散防止構造を有するシートにおいて、前記蓋部材は、一端部が前記シートに密着して固定された固定端部を有すると共に、他端部が自由端部となっており、前記連結部は、前記自由端部と前記固定端部との間において前記蓋部材を前記シート部材に連結し、前記固定端部を中心として前記蓋部材が回動するように形成された蛇腹であることを特徴とする飛散防止構造を有するシートにある。
【００１４】
かかる第２の態様では、シート部材の裏側から風が通気孔に入り込むと、蛇腹が伸張して蓋部材が固定端部を中心に回動し、風を逃がす構造となっている。さらに、蛇腹は、蓋部材の側方からは通気孔に入り込もうとする水を遮る防水堤の機能も果たしている。また、蛇腹は伸縮自在であるため、シートを折り畳んでもかさばらず、持ち運びが便利である。さらに、折り畳んだ際に空気が入り込んだとしても、通気孔を介して空気が外部に抜けていくので、より一層、コンパクトに折り畳むことができる。
【００１５】
本発明の第３の態様は、第１又は第２の態様に記載する飛散防止構造を有するシートを備えたテントであって、前記シートは、前記蓋部材の自由端部側が鉛直方向の上方に位置するように配設されていることを特徴とする飛散防止構造を有するシートを備えたテントにある。
【００１６】
かかる第３の態様では、強風でテントが飛んでしまうことを防止でき、かつ日光や雨からテント内部を確実に保護することができる。
【発明の効果】
【００１７】
本発明によれば、風圧で飛散したり捲れたりすることを防止すると共に、水が通気孔に浸入することを防止した飛散防止構造を有するシート及びこれを備えたテントが提供される。
【図面の簡単な説明】
【００１８】
【図１】本実施形態に係る飛散防止構造を有するシートの斜視図である。
【図２】本実施形態に係る飛散防止構造を有するシートの平面図である。
【図３】本実施形態に係る飛散防止構造を有するシートの断面図である。
【図４】本実施形態に係る飛散防止構造を有するシートの使用例を示す斜視図である。
【図５】本実施形態に係る飛散防止構造を有するシートを有するテントの斜視図である。
【発明を実施するための形態】
【００１９】
以下、本発明の実施形態を図面に基づき詳細に説明する。
【００２０】
図１及び図２に示すように、本実施形態に係る飛散防止構造を有するシート１（以下、単にシート１と称する。）は、シート部材２を備えている。
【００２１】
シート部材２は、防水性があり、折り畳むことができる程度の可撓性を有する平面状部材である。このようなシート部材２として、ポリエチレン、ポリプロピレン、ポリ塩化ビニルなどの合成樹脂シートを用いることができる。本実施形態では、シート部材２は矩形状であるが、大きさ・形状に限定はない。
【００２２】
シート部材２には、厚さ方向に貫通した開口である通気孔３が複数個設けられている。通気孔３の個数や形状、配置に特に限定はないが、本実施形態では、８個の円形状の通気孔３が互いに均等な間隔で配置されるようにシート部材２に設けられている。
【００２３】
さらにシート部材２の一方面には、通気孔３を覆う蓋部材４が設けられている。蓋部材４は、防水性があり、風圧で撓む程度の可撓性を有する平面状部材である。このような蓋部材４としては、シート部材２と同様の合成樹脂シートを用いることができる。
【００２４】
蓋部材４の形状は、一つの通気孔３の形状よりも大きな略正方形としてあり、一つの蓋部材４が一つの通気孔３を覆うようにシート部材２に取り付けられている。なお、蓋部材４の形状は、通気孔３の形状よりも大きければ特に限定されない。また、一つの蓋部材４が複数の通気孔３を覆うようにしてもよい。
【００２５】
蓋部材４は、シート部材２にポケット状に取り付けられている。ここでいうポケット状に取り付けられているとは、蓋部材４の周縁部のうちの一部は、シート部材２に取り付けられず、残りの部分がシート部材２に取り付けられた状態をいう。
【００２６】
本実施形態では、蓋部材４の一端部をシート部材２に密着させて固定することで固定端部６とし、他端部を自由端部７とした。さらに、詳細は後述するが、連結部の一例である蛇腹８を蓋部材４とシート部材２との間に取り付けた。すなわち、蛇腹８は、蓋部材４の周縁部であり、かつ固定端部６と自由端部７との間において、蓋部材４をシート部材２に連結している。このように蓋部材４をポケット状に取り付けることで、蓋部材４の自由端部７とシート部材２と蛇腹８で開口部５が形成される。また、全ての蓋部材４について、開口部５が同一方向（図１の下流側）に向くようにしてある。
【００２７】
図３（ａ）に示すように、蛇腹８は、平面状部材に谷折り９・山折り１０を交互に設けたものであり、伸縮方向の上下に蓋部材４とシート部材２とがそれぞれ接続されている。また蛇腹８の幅は、蓋部材４の固定端部６から自由端部７までの長さとほぼ同等にしてあり、その幅方向の一端は、固定端部６側に隙間なく連続している。
【００２８】
このような蛇腹８を介してシート部材２に取り付けられた蓋部材４の動作について説明する。図３（ａ）に示すように、シート部材２の裏側（蓋部材４が取り付けられていない側）に風が当たると通気孔３に流れ込み、その風圧で蓋部材４は押圧される。蓋部材４が押圧されることで、蛇腹８が伸張し、固定端部６を中心として自由端部７が上方に回動する。このように蓋部材４が回動することで、シート部材２の裏側から通気孔３に流れ込んだ風は、開口部５から抜けてゆく。
【００２９】
また、図３（ｂ）に示すように、風が止んで蓋部材４への風圧が弱まると蓋部材４の自重で蛇腹８が縮み開口部５が閉じ、蓋部材４がシート部材２にほぼ隙間なく重なって通気孔３を覆う。
【００３０】
図４にシート１の使用例を示す。本使用例は、雨から守るために、シート１を地面に置かれた資材１０に被せた場合である。
【００３１】
シート１は、資材１０の上面側全体を覆い、シート部材２の四隅に設けられた取り付け穴９に結びつけた紐を介して杭１１で地面に固定されている。また、各蓋部材４は、下方側に開口部５が向くようにシート部材２に取り付けられている。
【００３２】
無風の際には、蓋部材４は、シート部材２にほぼ密着し、通気孔３を覆っている。すなわち、シート１全体としては、資材１０の上面側全体を覆った状態となる。
【００３３】
一方、資材１０の側方（シート部材２の裏側）に風が入り込むと、その風は矢印Ａのように通気孔３に流れ込み、その風圧で蓋部材４が押し開かれ、通気孔３及び開口部５を通して風が抜けていく。すなわち、シート部材２の裏側に入り込んだ風がシート部材２全体を押圧するのを防ぐことができる。このように、シート部材２は風を逃がす構造となっているので、シート部材２の裏側に掛かる風圧が、杭１１でシート部材２を固定した力を上回ることが防止され、シート１の飛散を防ぐことができる。また、風が逃げる構造であるため、シート部材２が風圧によりばたついて騒音が生じることを抑制できる。
【００３４】
さらに、蛇腹８は、シート部材２の表面を伝い、上流から下流に流れ落ちる雨水が通気孔３に入り込んでしまうことを防止する防水堤の機能も果たしている。すなわち、蓋部材４はポケット状にシート部材２に取り付けられ、かつ開口部５は下流側に向いているので、上流から下流に流れる雨水は、防水堤としての蛇腹８に遮られてそのまま下流に流れ落ちるか（矢印Ｂ）、もしくは、固定端部６を乗り越えて蓋部材４の表面を伝い、開口部５から下方に流れ落ちる（矢印Ｃ）。
【００３５】
このように、固定端部６から自由端部７の間において蛇腹８で蓋部材４をシート部材２に連結したので、蓋部材４の側方から雨水が流れ込んで通気孔３に浸入することが防止され、シート１で覆った資材１０を雨水から保護することができる。
【００３６】
また、蛇腹８が伸縮自在であるため、蓋部材４はほぼシート部材２に重なることが可能である。このため、シート１を折り畳んでもかさばらず、持ち運びが便利である。さらに、折り畳んだ際に空気が入り込んだとしても、通気孔３及び開口部５から空気が外部に抜けていくので、より一層、コンパクトに折り畳むことができる。
【００３７】
さらに、先行技術においては、蓋部材に復元性を持たせる機構として金属やプラスチックなどからなる復元性をもった骨を用いているが、本実施形態においては蛇腹８のように軽量に構成できるものを用いたので、シート１全体を軽量とすることができる。
【００３８】
なお、シート１を地面や資材１０などに密着させることで、シート部材２の裏面側に風が入り込まないようにし、風圧により飛散したり捲れ上がることを防止することは可能ではあるが、そのように保護対象にシート１を密着させるという作業に手間を要してしまう。しかしながら、本実施形態に係るシート１においては、そのような手間は不要であり、シート１を簡単に設置することができる。
【００３９】
さらに、シート１の適用例として、図５にシート１を備えたテント２０を示す。図示するように、テント２０は、４本の脚部２１（図には３本が示されている）を有する骨組みの上部に、上述したシート１が取り付けられたものである。また、各蓋部材４は、開口部５が下方に向くようにシート部材２に取り付けられている。
【００４０】
無風の際には、蓋部材４は、シート部材２にほぼ密着し、通気孔３を覆っている。すなわち、テント２０全体としては、その内側を日光や雨水から保護することができる。
【００４１】
一方、テント２０の内側に風が入り込むと、その風は矢印Ｄのように通気孔３に流れ込み、その風圧で蓋部材４が押し開かれ、通気孔３及び開口部５を通して風が抜けていく。すなわち、シート部材２の裏側に入り込んだ風がシート部材２全体を押圧するのを防ぐことができる。このように、シート部材２は風を逃がす構造となっているので、シート部材２の裏側から掛かる風圧でシート１が飛散したりテント２０自体が倒れることを防ぐことができる。
【００４２】
また、上述したように、テント２０においても、蛇腹８が雨水の防水堤となり、蓋部材４の側方から雨水が流れ込んで通気孔３に浸入することが防止され、テント２０の内側を雨水から保護することができる。
【００４３】
なお、本実施形態に係るシート１は、資材１０を覆う場合やテント２０の屋根として用いる場合に限定されず、種々の用途に適用可能である。例えば、鉄塔敷地や住宅地等の急傾斜地における法面保護、送電線建築現場での養生（防音・飛散防止対策等）、変電所構内等などでの資材の保護、鉄塔塗装工事での養生（塗料飛散防止）、農作物用のマルチシート、ビニールハウス、行楽地等で地面に敷くシートなどである。
【００４４】
また、上述した実施形態においては、蓋部材４の一端部は直接シート部材２に密着固定されて固定端部６とされていたが、必ずしもこのような態様に限定されず、例えば、固定端部６とする代わりに、この一端部についても蛇腹８でシート部材２に連結してもよい。この場合においても、通気孔３に入り込んだ風の圧力で蓋部材４全体がシート部材２から離れ、開口部５が開き、通気孔３及び開口部５を風が通過していく。したがって、上述した実施形態と同様に、シート１は風圧で飛散したり捲れ上がることが防止される。
【００４５】
さらに、連結部の一例として蛇腹８を挙げたが、このような構造に限定されず、蓋部材４をポケット状にシート部材２に取り付けることができ、かつ開口部５を開閉できるように伸縮自在である部材であればよい。
【符号の説明】
【００４６】
１            シート
２            シート部材
３            通気孔
４            蓋部材
５            開口部
６            固定端部
７            自由端部
８            蛇腹
９            取り付け穴
１０          資材
１１          杭
２０          テント
２１          脚部
【図１】
2012122234.tif 000003
【図２】
2012122234.tif 000004
【図４】
2012122234.tif 000005
【図５】
2012122234.tif 000006
【図３】
2012122234.tif 000007